(57)【要約】【課題】歪み等の変形および映像の明るさの低下を抑制することが可能なスクリーンおよびこのスクリーンを備えたリアプロジェクタを提供することを目的とする。【解決手段】映像が投射される透過型スクリーン２０は、レンチキュラーレンズを有するレンチキュラーレンズシート２１と、フレネルレンズを有するフレネルレンズシート２２と、レンチキュラーレンズシート２１およびフレネルレンズシート２２を保持矯正するガラス板２３と、を備えていて、レンチキュラーレンズシート２１とフレネルレンズシート２２とを組合せた複合レンズシート２４の状態では、ガラス板２３の側が凸状に反っている。【選択図】図６
2008170574.tif 000002
【特許請求の範囲】
【請求項１】
映像が投射される透過型のスクリーンであって、
フレネルレンズを有するフレネルレンズシートと、
レンチキュラーレンズを有するレンチキュラーレンズシートと、
光透過性を有し、前記フレネルレンズシートおよび前記レンチキュラーレンズシートの変形を矯正する矯正部材と、を備えていることを特徴とするスクリーン。
【請求項２】
請求項１に記載のスクリーンにおいて、
前記映像が投射される側から、前記矯正部材と前記フレネルレンズシートと前記レンチキュラーレンズシートとが順に配置されていることを特徴とするスクリーン。
【請求項３】
請求項２に記載のスクリーンにおいて、
前記フレネルレンズシートと前記レンチキュラーレンズシートとを組合せた状態では、前記矯正部材の側へ凸状に反っていることを特徴とするスクリーン。
【請求項４】
請求項１から３のいずれか一項に記載のスクリーンにおいて、
前記矯正部材は、ガラス板であることを特徴とするスクリーン。
【請求項５】
請求項４に記載のスクリーンにおいて、
前記ガラス板は、少なくとも一方の面に低反射処理を施したことを特徴とするスクリーン。
【請求項６】
光源から射出された光を画像信号に応じて変調してスクリーンへ投射するリアプロジェクタであって、
請求項１から５のいずれか一項に記載のスクリーンを備えていることを特徴とするリアプロジェクタ。
【発明の詳細な説明】
【技術分野】
【０００１】
本発明は、変形し難い構成を有するスクリーンおよびこのスクリーンを備えたリアプロジェクタに関する。
【背景技術】
【０００２】
従来、リアプロジェクタなどに用いられているスクリーンは、フレネルレンズとレンチキュラーレンズとを組合せた透過型のスクリーンである。このような組合せのスクリーンでは、温度または湿度の変化やスクリーンの自重などにより変形することがあり、スクリーンが変形すると、フレネルレンズおよびレンチキュラーレンズの位置が変化して、スクリーンに投射される映像に歪みやボケなどが生じる。
【０００３】
このようなスクリーンの変形を防止するために、特許文献１には、スクリーンへの光の入射側および出射側のそれぞれに、透明板を新たに設けて補強する構成が開示されている。また、特許文献２には、入射側のフレネルレンズをガラス板に粘着して補強し、さらに、出射側に光透過性の合成樹脂板を設ける構成が開示されている。
【０００４】
【特許文献１】特開平８−６１６３号公報
【特許文献２】特開２００６−２０８８２７号公報
【発明の開示】
【発明が解決しようとする課題】
【０００５】
しかし、従来の技術では、一対の透明板または合成樹脂板などを補強部材として用いているため、スクリーンの重量が重くなり、同時に、スクリーンの厚さも厚くなっていた。そのため、スクリーンの重量が重くなることによって、スクリーンが変形する可能性を払拭しきれない、という課題が残っていた。また、一対の補強部材を付加したスクリーンは、その厚さが厚くなるため、補強部材が光透過性を有していても、スクリーンを透過した映像が暗くなってしまう、という課題を抱えていた。これらの課題は、リアプロジェクタが大型化してスクリーンが大きくなるほど、顕著な現象として現れる。
【０００６】
本発明は、上記課題を解決するために、歪み等の変形および映像の明るさの低下を抑制することが可能なスクリーンおよびこのスクリーンを備えたリアプロジェクタを提供することを目的とする。
【課題を解決するための手段】
【０００７】
本発明のスクリーンは、映像が投射される透過型であって、フレネルレンズを有するフレネルレンズシートと、レンチキュラーレンズを有するレンチキュラーレンズシートと、光透過性を有し、前記フレネルレンズシートおよび前記レンチキュラーレンズシートの変形を矯正する矯正部材と、を備えていることを特徴とする。
【０００８】
このスクリーンによれば、映像を投射するために、スクリーンへ入射する光の入射角度を略同方向に変換するフレネルレンズシートと、フレネルレンズシートからの光を視野角が広がるように拡大させるレンチキュラーレンズシートと、フレネルレンズシートおよびレンチキュラーレンズシートの変形を矯正する矯正部材とで構成され、スクリーンを通して映像を視認することが可能である。一方、フレネルレンズシートとレンチキュラーレンズシートとによる従来の２層構成のスクリーンでは、それぞれの自重や温度および湿度の変化による伸縮等により、変形が生じて平面性を保持できない場合があり、投射された映像に歪みなどが発生し易い。そこで、光透過性を有する矯正部材を加えた３層構成のスクリーンにすることにより、フレネルレンズシートおよびレンチキュラーレンズシートの自重や伸縮等による変形を矯正して、スクリーンの平面性を保持することが可能である。また、矯正部材は、光透過性であり、１枚だけが付加されるため、３層構成のスクリーンであっても、映像の明るさを大きく低下させることがない。このように、矯正部材を付加したスクリーンの構成により、スクリーンの平面性が保持でき、投射された映像に歪みなどが発生し難くなる。
【０００９】
この場合、映像が投射される側から、矯正部材とフレネルレンズレンズシートとレンチキュラーレンズシートとが順に配置されていることが好ましい。
【００１０】
この構成によれば、矯正部材は映像の投射されるフレネルレンズレンズシートの側に設けられており、投射された映像はレンチキュラーレンズシートに表示されて視認される。矯正部材がレンチキュラーレンズシートの側に設けられていると、矯正部材に外部光の映り込み等が発生する場合があり、矯正部材がフレネルレンズレンズシートの側に設けられた場合に比べて、映像が見難くなる。従って、矯正部材を映像の投射されるフレネルレンズレンズシートの側に設けることにより、スクリーンの平面性を保持すると共に、映像の視認性の低下を抑制することも可能である。
【００１１】
この場合、フレネルレンズシートとレンチキュラーレンズシートとを組合せた状態では、矯正部材の側へ凸状に反っていることが好ましい。
【００１２】
この構成によれば、フレネルレンズシートとレンチキュラーレンズシートとを、反った状態で矯正部材と合わせることにより、３層構成のスクリーンが形成される。矯正部材の側へ凸状の反りを設けるようにしたことにより、フレネルレンズシートとレンチキュラーレンズシートとの端部を矯正部材の端部へ固定するだけで、フレネルレンズシートとレンチキュラーレンズシートとを、矯正部材に沿って密着させることが可能である。これにより、３層構成のスクリーンのそれぞれの層が離反することなく、密着状態が維持され、且つ、平面性も保持される。従って、従来のように、密着状態または平面性が保たれないため、スクリーンへ投射される映像の投射距離が異なり、映像が歪んで表示されてしまう、というようなことをほぼ回避することが可能である。
【００１３】
この場合、矯正部材は、ガラス板であることが好ましい。
【００１４】
この構成によれば、ガラス板は、光透過性、平面性、およびフレネルレンズシートとレンチキュラーレンズシートとの反りを矯正するための剛性を有しているため、矯正部材として適した材料である。
【００１５】
この場合、ガラス板は、少なくとも一方の面に低反射処理を施したことが好ましい。
【００１６】
この構成によれば、ガラス板に低反射処理を施すことにより、スクリーンへ入射する光の反射を防ぎ、明るさの低下を抑制することが可能である。これにより、ガラス板を映像の投射される側に設けることと合わせ、より映像の視認性の低下を抑制することが可能である。
【００１７】
本発明のリアプロジェクタは、光源から射出された光を画像信号に応じて変調してスクリーンへ投射するものであって、上記に記載のいずれかのスクリーンを備えていることを特徴とする。
【００１８】
このリアプロジェクタによれば、映像を投射するために、スクリーンへ入射する光の入射角度を略同方向に変換するフレネルレンズシートと、フレネルレンズシートからの光を視野角が広がるように拡大させるレンチキュラーレンズシートと、フレネルレンズシートおよびレンチキュラーレンズシートの変形を矯正する矯正部材とで構成された３層構成のスクリーンを備えている。矯正部材は、平面性および剛性を有しており、フレネルレンズシートおよびレンチキュラーレンズシートの自重や伸縮等による変形を矯正して、スクリーンの平面性を保持することが可能である。また、矯正部材は、光透過性であるため、映像の明るさを大きく低下させることがない。このようにリアプロジェクタは、矯正部材によりスクリーンの平面性が保持でき、歪みなどが発生し難いため、視認性の良好な映像を提供することが可能である。
【発明を実施するための最良の形態】
【００１９】
以下、本発明を具体化した実施形態について図面に従って説明する。実施形態におけるリアプロジェクタは、光源から射出された光を画像情報に応じて変調した光学像からカラー画像を形成し、カラー画像を反射ミラーを介して透過型スクリーン（スクリーン）に拡大投射するものである。このリアプロジェクタは、拡大投射された光学像を歪み等がなく鮮明に表示する透過型スクリーンを有している。
（実施形態）
【００２０】
図１は、リアプロジェクタを前面側から見た外観を示す斜視図であり、図２は、リアプロジェクタを背面側から見た外観を示す斜視図である。図１および図２に示すように、リアプロジェクタ１の外観をなす外装１０は、リアプロジェクタ１の床置き設置部である脚部外装１１と、脚部外装１１の上部側に順に位置する下部外装１３および上部外装１２と、上部外装１２の前面側に設けられた前面外装１４と、を有している。
【００２１】
前面外装１４は、矩形状に形成された開口部を有していて、開口部には、開口部を塞ぐように透過型スクリーン２０が取り付けられている。さらに、前面外装１４は、左側および右側のそれぞれにスピーカボックス１９ａを有している。
【００２２】
下部外装１３は、前面側の左右に、低音域を再生するスピーカを収容するウーハーボックス１９ｂをそれぞれ有している。また、リアプロジェクタ１は、内部を冷却空気によって冷却する機能を備えている。そのため、下部外装１３の左側部１８ａおよび右側部１８ｂに、図示していないスリット状の開口がそれぞれ形成されていて、左側部１８ａの開口は、内部に冷却空気を導入する吸気用であり、右側部１８ｂの開口は、内部に導入されて内部を冷却した後の空気を排出する排気用である。
【００２３】
上部外装１２は、側面視三角形状をしており、下部外装１３との境界をなす下面部１５と、下面部１５の両側端部から立設された三角形板状の左右の側面部１６と、これらの左右の側面部１６に跨った斜面である背面部１７と、を有する。そして、上部外装１２の側面部１６には、前面外装１４から背面側へ突出したスピーカボックス１９が、上部外装１２とは別体に構成されて取り付けられている。スピーカボックス１９は、所定機能を有する箱型のスピーカであり、スピーカボックス１９の前面と前面外装１４の前面とが略面一に形成されている。
【００２４】
次に、リアプロジェクタ１の内部構成について、簡単に説明する。図３は、リアプロジェクタを側面側から見た内部構成を示す断面図である。リアプロジェクタ１の内部には、図３に示すように、下部外装１３の脚部外装１１側に設けられ光学像を含む光を射出する光学ユニット４０と、光学ユニット４０を載置し光学ユニット４０から射出される光の方向を調整する調整機構部５０と、光学ユニット４０および透過型スクリーン２０と対向するように上部外装１２の背面部の内側に設けられ光学ユニット４０から射出された光を透過型スクリーン２０へ反射する反射ミラー３０と、が収容されている。
【００２５】
この構成において、光学ユニット４０から反射ミラー３０へ射出される光は、広角化された状態であるため、反射ミラー３０で反射して透過型スクリーン２０へ到達すると、透過型スクリーン２０の全面に拡大投射された状態となる。光学ユニット４０から射出された光は、光路Ｌに示すように進行する。なお、下部外装１３は、光学ユニット４０および調整機構部５０の他に、図示していない電源部、光学ユニット４０等を制御する制御部、光学ユニット４０を含めリアプロジェクタ１の内部を冷却する冷却機構部などを収容している。
【００２６】
また、透過型スクリーン２０は、図３の拡大断面図Ｍに示すように、３層構成を有している。これら３層は、レンチキュラーレンズシート２１と、フレネルレンズシート２２と、ガラス板（矯正部材）２３と、であり、それぞれが密着するように合わされてシート状の透過型スクリーン２０を形成している。透過型スクリーン２０の詳細は、図６および図７を参照して後述する。
【００２７】
そして、図４は、光学ユニットと調整機構部とを示す斜視図である。光学ユニット４０は、光源である光源ランプから射出された光を光学的に処理して画像情報に対応した光学像を形成し、光学像を合成したカラー画像を、図３に示す反射ミラー３０を介して透過型スクリーン２０へ拡大投射するユニットである。光学ユニット４０は、図４に示すように、インテグレータ照明光学系４１と、色分離光学系４２と、リレー光学系４３と、変調光学系４４と、投射光学系４５と、を有している。この場合、光学ユニット４０において、光は、光路Ｌのように略クランク状に進行して、投射光学系４５の投射レンズ部４５１から反射ミラー３０の方向へ射出される。また、調整機構部５０は、光学ユニット４０を載置して、投射レンズ部４５１から反射ミラー３０へ射出される光の方向を調整するものである。
【００２８】
調整機構部５０は、投射レンズ部４５１から射出する光の方向を調整するためのものであり、透過型スクリーン２０に対して、上部外装１２と下部外装１３との方向であるピッチ角方向Ａを調整することが可能であり、さらに、左右のスピーカボックス１９間の方向であるヨー角方向Ｂを調整すること、および回転の方向であるロール角方向Ｃを調整することが可能である。
【００２９】
また、調整機構部５０は、光学ユニット４０を載置する第一調整板５１と、第一調整板５１を載置する第二調整板５２と、第二調整板５２を載置すると共に、図３に示す下部外装１３へ調整機構部５０を固定するための固定基盤５３と、を有している。第一調整板５１および第二調整板５２は、図示していないスペーサやネジなどの調整部材により角度調整を行うことが可能である。
【００３０】
固定基盤５３は、下部外装１３へ固定され、光学ユニット４０の投射レンズ部４５１が位置する側の端部に立設され第二調整板５２の回転中心となる回転中心ピン５２０を有している。第二調整板５２は、回転中心ピン５２０を回転中心とし、調整部材による調整量だけ、固定基盤５３の面上をヨー角方向Ｂへ回転することが可能である。また、第一調整板５１は、回転中心ピン５２０の側の端部５１０が第二調整板５２へピッチ角方向Ａおよびヨー角方向Ｂへ回転自在に軸支されており、調整部材による調整量だけ、ピッチ角方向Ａおよびヨー角方向Ｂへ回転することが可能である。
【００３１】
次に、リアプロジェクタ１の基幹部である光学ユニット４０について詳細に説明する。図５は、光学ユニットの詳細を示す模式図である。まず、インテグレータ照明光学系４１から順に説明する。インテグレータ照明光学系４１は、光源からの光の照度分布を略均一にするためのものである。具体的には、変調光学系４４を構成する３枚の液晶パネル４４１（４４１Ｒ，４４１Ｇ，４４１Ｂ）の光学像形成領域をほぼ均一に照明するための光学系であり、光源装置４１１と、第１レンズアレイ４１２と、第２レンズアレイ４１３と、偏光変換素子４１４と、重畳レンズ４１５とを備えている。
【００３２】
光源装置４１１は、光源としての光源ランプ４１６と、リフレクタ４１７とを備え、光源ランプ４１６から射出された放射状の光線を、放物面鏡であるリフレクタ４１７で反射することにより平行光線として射出する。光源ランプ４１６としては、超高圧水銀ランプを採用している。
【００３３】
第１レンズアレイ４１２は、詳細を図示していないが、光軸方向から見てほぼ矩形状の輪郭を有する小レンズがマトリクス状に配列された構成を有している。これら小レンズは、光源ランプ４１６から射出された光を、複数の部分光に分割するためのものであり、各小レンズの輪郭形状は、液晶パネル４４１の光学像形成領域の形状とほぼ相似形をなすように設定されている。
【００３４】
第２レンズアレイ４１３は、第１レンズアレイ４１２と略同様な構成であり、小レンズがマトリクス状に配列された構成を有している。そして、第２レンズアレイ４１３は、重畳レンズ４１５と共に、第１レンズアレイ４１２の各小レンズの光学像を液晶パネル４４１上に結像させる機能を果たすものである。
【００３５】
偏光変換素子４１４は、第２レンズアレイ４１３と重畳レンズ４１５との間に配置されていて、第２レンズアレイ４１３と一体でユニット化されている。このような偏光変換素子４１４は、第２レンズアレイ４１３からの光を１種類の偏光光に変換するためのものであり、これにより、変調光学系４４での光の利用効率を高めることが可能である。
【００３６】
具体的に述べると、偏光変換素子４１４によって１種類の偏光光に変換された各部分光は、重畳レンズ４１５によって最終的に変調光学系４４の液晶パネル４４１にほぼ重畳される。偏光光を変調するタイプの液晶パネル４４１を用いたリアプロジェクタ１では、１種類の偏光光しか利用できないため、他種類のランダムな偏光光を発する光源ランプ４１６からの光のほぼ半分が利用されない。このため、偏光変換素子４１４を用いることにより、光源ランプ４１６から射出された光を全て１種類の偏光光に変換し、変調光学系４４での光の利用効率を高めている。
【００３７】
インテグレータ照明光学系４１において変換された偏光光は、色分離光学系４２へ進む。色分離光学系４２は、２枚のダイクロイックミラー４２１，４２２と、反射ミラー４２３とを備え、ダイクロイックミラー４２１，４２２により、インテグレータ照明光学系４１から射出された複数の部分光である偏光光を、赤（Ｒ）、緑（Ｇ）、青（Ｂ）の３色の色光に分離する機能を有している。
【００３８】
また、リレー光学系４３は、入射側レンズ４３１と、一対のリレーレンズ４３３と、反射ミラー４３２，４３４とを有し、この場合、色分離光学系４２で分離された色光である赤色光を液晶パネル４４１Ｒまで導くためのものである。
【００３９】
この際、色分離光学系４２のダイクロイックミラー４２１では、インテグレータ照明光学系４１から射出された光の赤色光と緑色光とが透過し、青色光が反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光を、フィールドレンズ４１８の中心軸に対して平行な光に変換する。他の液晶パネル４４１Ｇ，４４１Ｂに設けられているフィールドレンズ４１８も同様の機能を有する。
【００４０】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。なお、赤色光にリレー光学系４３が用いられているのは、赤色光の光路の長さが他の色光の光路長さよりも長いため、光の減衰等を防止するためである。すなわち、入射側レンズ４３１に入射した部分光を、そのままフィールドレンズ４１８に到達させるためである。なお、青色光にリレー光学系４３を用いても良い。
【００４１】
次に、変調光学系４４は、入射したそれぞれの色光を画像情報に応じて変調および合成して、カラー画像を形成するものであり、色分離光学系４２で分離された各色光が入射する３つの入射側偏光板４４２と、各入射側偏光板４４２の後段に配置される光変調装置である液晶パネル４４１Ｒ，４４１Ｇ，４４１Ｂと、各液晶パネル４４１Ｒ，４４１Ｇ，４４１Ｂの後段に配置される射出側偏光板４４３と、色合成装置であるクロスダイクロイックプリズム４４４とを備える。
【００４２】
液晶パネル４４１は、この場合、ポリシリコンＴＦＴをスイッチング素子として用いた透過型のものである。また、入射側偏光板４４２は、色分離光学系４２で分離された各色光のうち、一定方向の偏光光のみ透過させ、その他の光を吸収するものであり、サファイヤガラス等の基板に偏光膜が貼付されたものである。射出側偏光板４４３も、入射側偏光板４４２と略同様に構成され、液晶パネル４４１から射出された光のうち、所定方向の偏光光のみ透過させ、その他の光を吸収するものである。液晶パネル４４１において、入射した偏光光は、直角に捩れて射出するため、入射側偏光板４４２および射出側偏光板４４３は、互いの偏光軸の方向が直交するように設定されている。
【００４３】
クロスダイクロイックプリズム４４４は、射出側偏光板４４３から射出され、色光毎に変調された光学像を合成して、カラー画像を形成するものである。クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成されて、カラー画像が形成される。
【００４４】
次に、変調光学系４４で形成されたカラー画像は、投射光学系４５によって図３に示す反射ミラー３０へ射出される。この投射光学系４５は、投射レンズ部４５１と、直角プリズム４５２と、を有している。直角プリズム４５２は、変調光学系４４のクロスダイクロイックプリズム４４４における光の射出側に配置され、クロスダイクロイックプリズム４４４で合成されたカラー画像を投射レンズ部４５１の方向へ折り曲げて反射する。また、投射レンズ部４５１は、複数の光学レンズによって構成されていて、直角プリズム４５２で反射されたカラー画像を拡大するようにして、反射ミラー３０へ射出する。
【００４５】
以上説明した光学ユニット４０のインテグレータ照明光学系４１、色分離光学系４２、リレー光学系４３、変調光学系４４および投射光学系４５は、図４に示すようにＬ字状をなすユニット収容部４０１の内部に収容されている。ユニット収容部４０１は、合成樹脂製であり、光学ユニット４０の各光学系を収容する下部収容部と、蓋部である上収容部とから成っている。なお、変調光学系４４が位置する下収容部には、冷却機構部によって光学ユニット４０を冷却するための開口部が設けられている。
【００４６】
次に、透過型スクリーン２０の構成について説明する。図６（ａ）は、透過型スクリーンの構成部材を個々に示す断面図、（ｂ）は、レンチキュラーレンズシートとフレネルレンズシートとを組立てた状態を示す断面図、（ｃ）は、透過型スクリーンを前面外装に取り付けた状態を示す断面図である。各図において、縦および横の倍率は、分かり易いように適宜変更してある。図３および図６（ｃ）に示すように、透過型スクリーン２０は、映像が投射される反射ミラー３０の側から、ガラス板２３、フレネルレンズシート２２、レンチキュラーレンズシート２１が順に配置された構成を有している。
【００４７】
まず、透過型スクリーン２０を形成する各部材について説明する。レンチキュラーレンズシート２１は、図６（ａ）に示すように、シート状のメタクリル樹脂であるレンチキュラー基部２１１の一方の面に、図３に示すような断面蒲鉾型のレンチキュラーレンズを連続して形成したレンチキュラーレンズ面２１２を有している。そして、レンチキュラー基部２１１のレンチキュラーレンズ面２１２と反対側の面には、低反射コーティング２１３が設けられている。このレンチキュラーレンズシート２１は、レンチキュラーレンズを成型する際に、レンチキュラーレンズ面２１２の側が凸状に反った形状となるように加工されている。
【００４８】
フレネルレンズシート２２は、同じく図６（ａ）に示すように、シート状のアクリル樹脂であるフレネル基部２２１の一方の面に、図３に示すような断面鋸刃状のフレネルレンズを形成したフレネルレンズ面２２２を有している。このフレネルレンズシート２２は、フレネルレンズを成型する際に、フレネルレンズ面２２２の側が凸状に反った形状となるように加工されている。この場合、フレネルレンズシート２２の凸状に反っている程度は、レンチキュラーレンズシート２１の反っている程度に比べて小さく設定されている。なお、レンチキュラーレンズシート２１およびフレネルレンズシート２２の、レンチキュラー基部２１１およびフレネル基部２２１に使用する樹脂としては、既述した２種のプラスチック材種以外のプラスチックであっても良い。
【００４９】
ガラス板２３は、剛性および高い平面性を有し光透過性が良好な板状部材であり、ガラス基部２３１と、ガラス基部２３１の両面に設けられている低反射フィルム２３２と、を有している。ガラス板２３は、シート状のレンチキュラーレンズシート２１およびフレネルレンズシート２２の変形等を矯正し、平面性の高い透過型スクリーン２０を形成するための基準となる板である。
【００５０】
次に、透過型スクリーン２０の形成について説明する。透過型スクリーン２０の形成は、最初に、図６（ｂ）に示すように、レンチキュラーレンズシート２１とフレネルレンズシート２２とを組合せて複合レンズシート２４を形成する。この時、レンチキュラーレンズ面２１２とフレネルレンズ面２２２とを対向して合わせるように配置する。レンチキュラーレンズシート２１とフレネルレンズシート２２とは、対向して合わせると、図６（ａ）に示すように、それぞれの中央部の間の距離に比し、端部側の間の距離が長くなっているため、端部側同士を貼付すると、レンチキュラーレンズ面２１２とフレネルレンズ面２２２とが、全面に渡って密着状態となる。このようにして、レンチキュラーレンズ面２１２とフレネルレンズ面２２２とが合わさった複合レンズシート２４は、レンチキュラーレンズシート２１およびフレネルレンズシート２２のそれぞれの反りの程度の違いによって、図６（ｂ）に示すように、反りの程度が大きいレンチキュラーレンズシート２１の反り方向に沿ってカーブしている状態となる。
【００５１】
ここで、レンチキュラーレンズシート２１およびフレネルレンズシート２２から成る、反っている状態の複合レンズシート２４に映像を投射した場合について、簡単に説明する。図７（ａ）は、投射レンズ部から射出される光の経路を示す模式図、（ｂ）は、スクリーンに投射された映像の状態を示す模式図である。図７（ａ）に示すように、反射ミラー３０で反射した光は、経路Ｌ１に沿って上部投射点ａ１に入射し、経路Ｌ２に沿って中央投射点ａ２に入射し、経路Ｌ３に沿って下部投射点ａ３に入射する。この場合、複合レンズシート２４が反っているため、上部投射点ａ１、中央投射点ａ２および下部投射点ａ３は、図７（ｂ）に示す歪像位置７０のように、歪んだ状態で表示される。
【００５２】
一方、複合レンズシート２４が反っていなければ、経路Ｌ１、経路Ｌ２および経路Ｌ３の光は、図７（ｂ）に示す正規像位置６０に、上部投射点ａ１'、中央投射点ａ２'および下部投射点ａ３'のように歪みのない状態で表示される。これは、正規像位置６０の上部投射点ａ１'に光が到達するまでの経路の長さに対し、歪像位置７０の上部投射点ａ１に光が到達するまでの経路Ｌ１の長さが長いため、上部投射点ａ１とａ１'とが異なった位置に投射されることが原因である。そのため、拡散投射される映像は、歪むと共に焦点の合わずにボケて表示されることになる。上部投射点ａ１およびａ１'以外の他の投射点においても同様なことがいえる。また、複合レンズシート２４が反っていない状態で前面外装１４に取り付けられていても、温度および湿度などにより、複合レンズシート２４が伸縮して反りなどの変形を生じると、同様な現象が起き易い。なお、図７では、上下方向における歪みを例として表しているが、歪みは、複合レンズシート２４の変形に応じて、上下方向に限らずいかなる方向にも起こり得るものである。
【００５３】
透過型スクリーン２０は、このような複合レンズシート２４の変形を抑制可能なものである。図６に戻って、透過型スクリーン２０の形成について続ける。複合レンズシート２４の形成後、図６（ｃ）に示すように、複合レンズシート２４の凸状に反った側を、ガラス板２３に合わせて、透過型スクリーン２０として前面外装１４へ取り付ける。この取り付けは、透過型スクリーン２０のレンチキュラーレンズシート２１の端部を前面外装１４へ押し当て、ガラス板２３の端部を板バネ２５で押えて、板バネ２５をネジ２６で前面外装へ固定して行う。この取り付け構成により、複合レンズシート２４は、凸状に反っているため、端部を押えるだけで、自らの反りの反力により、ガラス板２３へ押圧状態で密着させることができる。よって、レンチキュラーレンズシート２１と、フレネルレンズシート２２と、ガラス板２３と、が離反またはズレることなどをほぼ防止することが可能である。
【００５４】
以上、説明したような透過型スクリーン２０において、透過型スクリーン２０を構成するフレネルレンズ面２２２は、反射ミラー３０を介し入射角を有して入射する光を、平行光に変換して漏れなくレンチキュラーレンズシート２１へ出射する役目を果たす。また、レンチキュラーレンズ面２１２は、フレネルレンズシート２２からの光を映像として表示し、さらに、視野角を拡大させて出射する。視野角を拡大させることにより、リアプロジェクタ１は、透過型スクリーン２０に正対する位置以外の斜めの方向からも映像を視認することが可能である。
【００５５】
以下、実施形態の効果をまとめて記載する。
【００５６】
透過型スクリーン２０は、映像が投射される側に、矯正部材としてガラス板２３を備え、レンチキュラーレンズシート２１およびフレネルレンズシート２２の自重や伸縮等による変形を矯正して、透過型スクリーン２０としての平面性を保持することが可能である。従って、透過型スクリーン２０は平面性が保持でき、投射された映像に歪みなどが発生し難くなる。また、ガラス板２３は、光透過性であり１枚が付加されるだけのため、３層構成のスクリーンであっても、投射される映像の明るさを大きく低下させることがない。
【００５７】
レンチキュラーレンズシート２１とフレネルレンズシート２２とを組合せた複合レンズシート２４は、凸状に反っており、この凸状側をガラス板２３へ合わせることにより、複合レンズシート２４の全面を、ガラス板２３に沿って押圧状態で密着させることが可能である。そのため、レンチキュラーレンズシート２１またはフレネルレンズシート２２が、温度および湿度の変化によって伸縮等を生じて変形しても、変形が矯正されて、レンチキュラーレンズシート２１およびフレネルレンズシート２２の平面性を常に保持することが可能である。
【００５８】
本実施形態の透過型スクリーン２０を備えたリアプロジェクタ１は、透過型スクリーン２０の平面性が保持でき、歪みなどが発生し難いため、視認性の良好な映像を提供すると共に、レンチキュラーレンズシート２１とフレネルレンズシート２２とを有する構成により、視野角の広い映像を提供することが可能である。
【００５９】
また、本発明は上記の実施形態に限定されるものではなく、次に挙げる変形例のような形態であっても、実施形態と同様な効果が得られる。
【００６０】
透過型スクリーン２０は、レンチキュラーレンズ面２１２とフレネルレンズ面２２２とを有する構成であるが、マイクロレンズアレイ等をレンチキュラーレンズとして用いて視野角を拡大し、ホログラム等をフレネルレンズとして用いて入射する光の入射角度を略同方向に変換する構成であっても良い。
【００６１】
レンチキュラーレンズシート２１とフレネルレンズシート２２とは、単体において、逆方向に反った状態に配置されて組合されているが、この組合せに限定されず、フレネルレンズシート２２は、単体において、レンチキュラーレンズシート２１より反りの程度が少なく、且つ、同じ方向に反った形態であっても良い。または、反りのない形態であっても良い。ガラス板２３と合わせた状態では、実施形態とほぼ同等の効果が得られる。
【００６２】
ガラス板２３は、透過型スクリーン２０の映像が投射されるフレネルレンズシート２２の側に配置するのが、最も効果的であるが、レンチキュラーレンズシート２１の側に配置する構成であっても良い。外部光の映り込みなどにより、見難い傾向になるが、歪みなどのない映像を提供することは、可能である。
【００６３】
リアプロジェクタ１では、変調光学系４４において、液晶パネル４４１を３つ備える三板式のプロジェクタで構成していたが、これに限らず、液晶パネル４４１を１つ備える単板式のプロジェクタで構成しても良い。また、液晶パネル４４１を２つ備えるプロジェクタや、液晶パネル４４１を４つ以上備えるプロジェクタとして構成しても良い。また、光入射面と光射出面とが異なる透過型の液晶パネル４４１を用いているが、光入射面と光射出面とが同一となる反射型の液晶パネルを用いても良い。さらに、光変調装置として液晶パネル４４１を用いることに限定せず、マイクロミラーを用いたデバイスなど、液晶以外の光変調装置を用いても良い。
【００６４】
また、光源ランプ４１６として、超高圧水銀ランプを用いていたが、レーザダイオード、ＬＥＤ（Light Emitting Diode）、有機ＥＬ（Electro Luminescence）素子、シリコン発光素子等の各種固体発光素子を採用してもよい。
【図面の簡単な説明】
【００６５】
【図１】リアプロジェクタを前面側から見た外観を示す斜視図。
【図２】リアプロジェクタを背面側から見た外観を示す斜視図。
【図３】リアプロジェクタを側面側から見た内部構成を示す断面図。
【図４】光学ユニットと調整機構部とを示す斜視図。
【図５】光学ユニットの詳細を示す模式図。
【図６】（ａ）透過型スクリーンの構成部材を個々に示す断面図、（ｂ）レンチキュラーレンズシートとフレネルレンズシートとを組立てた状態を示す断面図、（ｃ）透過型スクリーンを前面外装に取り付けた状態を示す断面図。
【図７】（ａ）投射レンズ部から射出される光の経路を示す模式図、（ｂ）スクリーンに投射された映像の状態を示す模式図。
【符号の説明】
【００６６】
１…リアプロジェクタ、１０…外装、１１…脚部外装、１２…上部外装、１３…下部外装、１４…前面外装、２０…スクリーンとしての透過型スクリーン、２１…レンチキュラーレンズシート、２２…フレネルレンズシート、２３…矯正部材としてのガラス板、２４…複合レンズシート、２５…板バネ、２６…ネジ、３０…反射ミラー、４０…光学ユニット、５０…調整機構部、６０…正規像位置、７０…歪像位置、２１１…レンチキュラー基部、２１２…レンチキュラーレンズ面、２１３…低反射コーティング、２２１…フレネル基部、２２２…フレネルレンズ面、２３１…ガラス基部、２３２…低反射フィルム。
【図１】
2008170574.tif 000003
【図２】
2008170574.tif 000004
【図３】
2008170574.tif 000005
【図４】
2008170574.tif 000006
【図５】
2008170574.tif 000007
【図６】
2008170574.tif 000008
【図７】
2008170574.tif 000009